(57)【要約】【課題】シールド性を高めて、しかも安価で小型軽量化を実現したカメラ用コネクタモジュールを提供することを目的としている。【解決手段】カメラ収容樹脂ケース２６に組み込んだ同軸コネクタ２３を介在して、前記カメラ収容樹脂ケース２６に収容したカメラモジュール２９と前記同軸コネクタ２３の同軸ケーブル２４を接続するためのカメラ用コネクタモジュールにおいて、前記カメラ収容樹脂ケース２６のカメラモジュール収容部６１に、前記カメラモジュール２９を電磁波から遮蔽するための蒸着メッキ２７を形成し、前記カメラモジュール収容部６１内に、前記同軸コネクタ２３の導電性外周シェル４０の一部を突設し、この突設部に係止段部４０ａを形成し、この係止段部４０ａと前記カメラモジュール収容部６１の蒸着メッキ２７の間にシールドプレート５２を介在して接続する。【選択図】図１
2020092313.tif 000002
【特許請求の範囲】
【請求項１】
カメラ収容樹脂ケースに組み込んだ同軸コネクタを介在して、前記カメラ収容樹脂ケースに収容したカメラモジュールと前記同軸コネクタの同軸ケーブルを接続するためのカメラ用コネクタモジュールにおいて、
前記カメラ収容樹脂ケースのカメラモジュール収容部に、前記カメラモジュールを電磁波から遮蔽するための蒸着メッキを形成したことを特徴とするカメラ用コネクタモジュール。
【請求項２】
前記カメラモジュール収容部内に、前記同軸コネクタの導電性外周シェルの一部を突設し、この突設部に係止段部を形成し、この係止段部と前記カメラモジュール収容部の蒸着メッキの間にシールドプレートを介在して接続するようにしたことを特徴とする請求項１記載のカメラ用コネクタモジュール。
【請求項３】
前記シールドプレートは、中央に孔部を有する平面部とこの平面部の外周の周縁部とを有する円環状となし、前記平面部の内周部の複数個所に前記外周シェルの係止段部に圧接する外周シェル圧接片を形成し、前記周縁部の複数個所に前記カメラモジュール収容部の蒸着メッキに圧接する蒸着メッキ圧接片を形成したことを特徴とする請求項２記載のカメラ用コネクタモジュール。
【請求項４】
前記外周シェル圧接片における係止段部との接触部と、前記蒸着メッキ圧接片における蒸着メッキとの接触部を除き、前記シールドプレートを前記外周シェルと蒸着メッキとの間に隙間をもって嵌着したことを特徴とする請求項３記載のカメラ用コネクタモジュール。
【請求項５】
前記蒸着メッキは、Ｃｕ＋Ｎｉからなることを特徴とする請求項１、２、３又は４記載のカメラ用コネクタモジュール。
【発明の詳細な説明】
【技術分野】
【０００１】
本発明は、主に車両に取り付けられるカメラモジュールに同軸ケーブルを接続するためのカメラ用コネクタモジュールに関するものである。
【背景技術】
【０００２】
この種のカメラ用コネクタモジュールには、図５に示すようなものが知られている（特許文献１）。
この図５において、カメラユニット２１は、カメラモジュール１０とこのカメラモジュール１０に同軸ケーブル１１を接続するためのコネクタモジュール１２とを有する。前記カメラモジュール１０は、外部の映像を撮像素子１４に集光するレンズ１３と、前記撮像素子１４の映像信号の処理と駆動を制御する電子回路１５とを有する。前記コネクタモジュール１２内には、コネクタケース１６内の中心に前記同軸ケーブル１１に接続する中心導体１７と、この中心導体１７を絶縁体を介して包囲する導電性シェル１８が設けられている。また、前記コネクタケース１６の下向きに開口したケース内部１６ａ内には、前記電子回路１５を電磁ノイズなどの電磁波から遮蔽するためのシールドケース１９が、前記導電性シェル１８の突出部１８ａと電気的に接続して設けられている。前記カメラモジュール１０は、本体ケース２０内に収納して前記コネクタモジュール１２に組み込む。
【０００３】
特許文献２には、電子回路をアルミダイキャストで形成したアルミ製ハウジングに収納し、このアルミ製ハウジングで電磁放射線が外部から流入したり、内部から外部に流出したりするのを防止するカメラ用コネクタモジュールの例が記載されている。
【特許文献１】特開２０１８−６１６２号公報
【特許文献２】特表２０１８−５００７３３号公報
【発明の開示】
【発明が解決しようとする課題】
【０００４】
特許文献１では、シールドケース１９がコネクタケース１６のケース内部１６ａに、導電性シェル１８の突出部１８ａと電気的に接続して設けられているので、シールドケース１９を独立した部品として形成し、このシールドケース１９を導電性シェル１８の突出部１８ａに電気的に接続する工程があり、部品点数が増え、しかも組み立て工数が多くなるという問題があった。
特許文献２では、電子回路をアルミダイキャストで形成したアルミ製ハウジングに収納するので、シールドケースを独立して形成する必要はないが、アルミダイキャストは高価になるだけでなく、小型軽量化に不向きであるという問題点があった。
本発明は、シールド性を高めて、しかも安価で小型軽量化を実現したカメラ用コネクタモジュールを提供することを目的としている。
【課題を解決するための手段】
【０００５】
本発明のカメラ用コネクタモジュールは、
カメラ収容樹脂ケース２６に組み込んだ同軸コネクタ２３を介在して、前記カメラ収容樹脂ケース２６に収容したカメラモジュール２９と前記同軸コネクタ２３の同軸ケーブル２４を接続するためのカメラ用コネクタモジュールにおいて、
前記カメラ収容樹脂ケース２６のカメラモジュール収容部６１に、前記カメラモジュール２９を確実に電磁波から遮蔽するための蒸着メッキ２７を形成したことを特徴とする。
【０００６】
前記カメラモジュール収容部６１内に、前記同軸コネクタ２３の導電性外周シェル４０の一部を突設し、この突設部に係止段部４０ａを形成し、この係止段部４０ａと前記カメラモジュール収容部６１の蒸着メッキ２７の間にシールドプレート５２を介在して接続するようにしたことを特徴とする。
【０００７】
前記シールドプレート５２は、中央に孔部５５を有する平面部５３とこの平面部５３の外周の周縁部５４とを有する円環状となし、前記平面部５３の内周部の複数個所に前記外周シェル４０の係止段部４０ａに圧接する外周シェル圧接片５６を形成し、前記周縁部５４の複数個所に前記カメラモジュール収容部６１の蒸着メッキ２７に圧接する蒸着メッキ圧接片５７を形成したことを特徴とする。
【０００８】
前記外周シェル圧接片５６における係止段部４０ａとの接触部と、前記蒸着メッキ圧接片５７における蒸着メッキ２７との接触部を除き、前記シールドプレート５２を前記外周シェル４０と蒸着メッキ２７との間に隙間５９をもって嵌着したことを特徴とする。
【０００９】
前記カメラ収容樹脂ケース２６のカメラモジュール収容部６１に施した前記蒸着メッキ２７は、Ｃｕ＋Ｎｉからなることを特徴とする。
【発明の効果】
【００１０】
請求項１記載の発明は、
カメラ収容樹脂ケースに組み込んだ同軸コネクタを介在して、前記カメラ収容樹脂ケースに収容したカメラモジュールと前記同軸コネクタの同軸ケーブルを接続するためのカメラ用コネクタモジュールにおいて、
前記カメラ収容樹脂ケースのカメラモジュール収容部に、前記カメラモジュールを電磁波から遮蔽するための蒸着メッキを形成したので、カメラ収容樹脂ケースの内部のカメラモジュール収容部が前記カメラモジュールを確実に電磁波から遮蔽するシールドケースとして機能することができる。また、カメラ収容樹脂ケースの寸法精度と小型軽量化を図ることができる。
【００１１】
請求項２記載の発明は、
前記カメラモジュール収容部内に、前記同軸コネクタの導電性外周シェルの一部を突設し、この突設部に係止段部を形成し、この係止段部と前記カメラモジュール収容部の蒸着メッキの間にシールドプレートを介在して接続するようにしたので、シールドプレートを嵌合するだけでカメラモジュール収容部と前記同軸コネクタの導電性外周シェルとを簡単な工程で確実に電気的に接続できる。
【００１２】
請求項３記載の発明は、
前記シールドプレートは、中央に孔部を有する平面部とこの平面部の外周の周縁部とを有する円環状となし、前記平面部の内周部の複数個所に前記外周シェルの係止段部に圧接する外周シェル圧接片を形成し、前記周縁部の複数個所に前記カメラモジュール収容部の蒸着メッキに圧接する蒸着メッキ圧接片を形成したので、外周シェル圧接片を外周シェルに、蒸着メッキ圧接片を蒸着メッキに複数個所で確実に接続することができる。
【００１３】
請求項４記載の発明は、
記外周シェル圧接片における係止段部との接触部と、前記蒸着メッキ圧接片における蒸着メッキとの接触部を除き、前記シールドプレートを前記外周シェルと蒸着メッキとの間に隙間をもって嵌着したので、シールドプレートの外周シェル圧接片と蒸着メッキ圧接片のみが接続の作用を果たすことにより、圧接片各部の接触がより確実に接続される。
【００１４】
請求項５記載の発明は、
前記蒸着メッキは、Ｃｕ＋Ｎｉからなるので、電磁波から遮蔽する機能がより確実になる。
【図面の簡単な説明】
【００１５】
【図１】本発明によるカメラ用コネクタモジュールの実施例１を示す断面図である。
【図２】図１における同軸コネクタの拡大断面図である。
【図３】シールドプレート５２の斜視図である。
【図４】シールドプレート５２により外周シェル４０とカメラ収容樹脂ケース２６の蒸着メッキ２７とを圧接して接続している状態の断面図である。
【図５】従来のカメラ用コネクタモジュールの分解説明図である。
【発明を実施するための最良の形態】
【００１６】
本発明は、
カメラ収容樹脂ケース２６に同軸コネクタ２３を組み込み、この同軸コネクタ２３の一端に、同軸ケーブル２４を接続した中継ジャック２５差し込み、前記同軸コネクタ２３の他端に、前記カメラ収容樹脂ケース２６に収容したカメラモジュール２９の基板側コネクタ３１を結合したカメラ用コネクタモジュールにおいて、
前記カメラ収容樹脂ケース２６のカメラモジュール収容部６１に、前記カメラモジュール２９の配線基板２８を電磁波から遮蔽するための蒸着メッキ２７を形成する。
【００１７】
前記同軸コネクタ２３の導電性外周シェル４０と前記カメラモジュール収容部６１内の蒸着メッキ２７を接続するために、前記カメラモジュール収容部６１内に、前記同軸コネクタ２３の導電性外周シェル４０の一部を突設し、この突設部に係止段部４０ａを形成し、この係止段部４０ａと前記カメラモジュール収容部６１の蒸着メッキ２７の間にシールドプレート５２を介在して接続する。
【００１８】
前記シールドプレート５２は、中央に孔部５５を有する平面部５３とこの平面部５３の外周の周縁部５４とを有する円環状となし、前記平面部５３の内周部の複数個所に前記外周シェル４０の係止段部４０ａに圧接する外周シェル圧接片５６を形成し、前記周縁部５４の複数個所に前記カメラモジュール収容部６１の蒸着メッキ２７に圧接する蒸着メッキ圧接片５７を形成する。
【００１９】
前記同軸コネクタ２３の導電性外周シェル４０と前記カメラモジュール収容部６１内の蒸着メッキ２７の接続をより確実にするため、前記外周シェル圧接片５６における係止段部４０ａとの接触部と、前記蒸着メッキ圧接片５７における蒸着メッキ２７との接触部を除き、前記シールドプレート５２を前記外周シェル４０と蒸着メッキ２７との間に隙間５９をもって嵌着する。
カメラ収容樹脂ケース２６における前記カメラモジュール収容部６１内の前記蒸着メッキ２７は、Ｃｕ＋Ｎｉからなる。
【実施例１】
【００２０】
本発明によるカメラ用コネクタモジュールの実施例を図面に基づき説明する。
図１において、２３は、同軸コネクタで、この同軸コネクタ２３は、カメラ収容樹脂ケース２６に組み込まれてカメラモジュール２９と同軸ケーブル２４を接続するものである。
前記同軸コネクタ２３を図２にて詳細に説明する。中心部分には、前記同軸ケーブル２４の同軸芯線４８に接続される上部コンタクト３２と、前記カメラモジュール２９の接続ピン４４に接続される下部コンタクト３３が一体に連通して形成されている。
【００２１】
前記上部コンタクト３２は、外周を上部絶縁体３４で包囲し、また、前記下部コンタクト３３は、下部絶縁体３５で包囲し、前記上部絶縁体３４と下部絶縁体３５は、絶縁性の接着剤３７で結合されている。前記上部絶縁体３４の外周は、導電性の上部シェル３８で包囲され、また、前記下部絶縁体３５の外周は、導電性の下部シェル３９で包囲されている。
前記下部絶縁体３５と上部シェル３８の間にＯリング３６を介在し、前記下部シェル３９の全体と、上部シェル３８の下端部を導電性の外周シェル４０で包み込み、この外周シェル４０の上端の加締め部４０ｂを前記上部シェル３８に加締め固着している。この外周シェル４０の下端部には、後述するシールドプレート５２に圧接して接続する係止段部４０ａが形成されている。
【００２２】
図１において、前記カメラ収容樹脂ケース２６は、下方部を開口して前記カメラモジュール２９を収納するカメラモジュール収容部６１が設けられ、このカメラモジュール収容部６１の内側面には、Ｃｕ＋Ｎｉの蒸着メッキ２７が形成されている。前記カメラ収容樹脂ケース２６の上面には、前記カメラモジュール収容部６１と連通して上方に向けて同軸コネクタ取付け部４２とさらに上方に連続する嵌合筒部４３が一体に設けられている。前記同軸コネクタ取付け部４２と嵌合筒部４３には、下方から前記同軸コネクタ２３が差し込まれ、絶縁性の接着剤４１で一体にカメラ収容樹脂ケース２６に固着する。前記同軸コネクタ取付け部４２の下方端部は、前記カメラモジュール収容部６１の内方にやや突出した突起部５８となっている。
【００２３】
前記カメラ収容樹脂ケース２６に同軸コネクタ２３を組み込んだ後、前記外周シェル４０の先端のカメラモジュール収容部６１の内部に突出した前記突起部５８に、シールドプレート５２が嵌め込まれる。
このシールドプレート５２は、図３に示すように、平面部５３とその外周を立ち上がらせた周縁部５４とにより円環状をなし、前記平面部５３の中央に前記外周シェル４０を貫通する孔部５５を穿設し、この孔部５５の内周部には、１２０度の間隔で斜め下向きにくの字の外周シェル圧接片５６が形成され、この外周シェル圧接片５６に弾力性を持たせるために両側に切込み６０を形成している。また、前記周縁部５４には、前記外周シェル圧接片５６と６０度ずつずらすようにして１２０度の間隔で斜め上向きにへの字の蒸着メッキ圧接片５７が形成され、この蒸着メッキ圧接片５７にも弾力性を持たせるために両側に切込み６０を形成している。
【００２４】
このようにして形成されたシールドプレート５２を前記外周シェル４０の下方から圧入すると、外周シェル圧接片５６が係止段部４０ａを乗り越えて係止段部４０ａに係止するとともに、蒸着メッキ圧接片５７がカメラ収容樹脂ケース２６の内面の蒸着メッキ２７に圧接する。この時、外周シェル圧接片５６の先端部が外周シェル４０の係止段部４０ａに圧接し、蒸着メッキ圧接片５７の屈曲部がカメラ収容樹脂ケース２６の蒸着メッキ２７に圧接し、シールドプレート５２の平面部５３と周縁部５４は、外周シェル４０の側面、突起部５８の底面と側面との間に隙間５９が生ずるようにする。この結果、外周シェル圧接片５６が係止段部４０ａに、蒸着メッキ圧接片５７が蒸着メッキ２７にそれぞれより確実に圧接して電気的に接続される。
なお、前記外周シェル４０が円筒形であるため、外周シェル圧接片５６と蒸着メッキ圧接片５７は、それぞれ１２０度間隔で３個ずつとしたが、前記外周シェル４０の形状や目的に応じて２個、４個、５個、それ以上などとすることができる。
【００２５】
前記カメラ収容樹脂ケース２６に同軸コネクタ２３を組み込み、シールドプレート５２で圧接したら、カメラ収容樹脂ケース２６の開口部から基板側コネクタ３１の接続ピン４４と絶縁部４５とシェル部４６を圧入する。すると、接続ピン４４は下部コンタクト３３に挿入接続し、シェル部４６は下部シェル３９に接続する。前記基板側コネクタ３１は、配線基板２８を経てカメラモジュール２９に接続され、レンズ３０で外部の映像を内部の撮像素子に集光する。
前記配線基板２８は、カメラ収容樹脂ケース２６の蒸着メッキ２７で包囲されて電磁ノイズなどの電磁波から遮蔽される。
【００２６】
このようにしてカメラ収容樹脂ケース２６に同軸コネクタ２３を組み込み、カメラモジュール２９を接続して車体２２の所定位置に取り付けられる。
前記カメラ収容樹脂ケース２６の反対側に突出した同軸コネクタ２３の嵌合筒部４３に同軸ケーブル２４を接続した中継ジャック２５を差し込む。すると、中継ジャック２５の嵌合筒体５１が嵌合筒部４３の外周に沿って嵌合され、中継ジャック２５の同軸側シェル５０が同軸コネクタ２３の上部シェル３８に接続するとともに、同軸ケーブル２４の同軸芯線４８に接続された同軸側コンタクト４７が同軸コネクタ２３の上部コンタクト３２に接続される。
このようにして組み立てと接続を完了する。
【符号の説明】
【００２７】
１０…カメラモジュール、１１…同軸ケーブル、１２…コネクタモジュール、１３…レンズ、１４…撮像素子、１５…電子回路、１６…コネクタケース、１７…中心導体、１８…導電性シェル、１９…シールドケース、２０…本体ケース、２１…カメラユニット、２２…車体、２３…同軸コネクタ、２４…同軸ケーブル、２５…中継ジャック、２６…カメラ収容樹脂ケース、２７…蒸着メッキ、２８…配線基板、２９…カメラモジュール、３０…レンズ、３１…基板側コネクタ、３２…上部コンタクト、３３…下部コンタクト、３４…上部絶縁体、３５…下部絶縁体、３６…Ｏリング、３７…接着剤、３８…上部シェル、３９…下部シェル、４０…外周シェル、４１…接着剤、４２…同軸コネクタ取付け部、４３…嵌合筒部、４４…接続ピン、４５…絶縁部、４６…シェル部、４７…同軸側コンタクト、４８…同軸芯線、４９…絶縁体、５０…同軸側シェル、５１…嵌合筒体、５２…シールドプレート、５３…平面部、５４…周縁部、５５…孔部、５６…外周シェル圧接片、５７…蒸着メッキ圧接片、５８…突起部、５９…隙間、６０…切込み、６１…カメラモジュール収容部。
【図１】
2020092313.tif 000003
【図２】
2020092313.tif 000004
【図３】
2020092313.tif 000005
【図４】
2020092313.tif 000006
【図５】
2020092313.tif 000007
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
カメラ収容樹脂ケースに組み込んだ同軸コネクタを介在して、前記カメラ収容樹脂ケースに収容したカメラモジュールと前記同軸コネクタの同軸ケーブルを接続するためのカメラ用コネクタモジュールにおいて、
前記カメラ収容樹脂ケースのカメラモジュール収容部に、前記カメラモジュールを電磁波から遮蔽するための蒸着メッキを形成し、
前記カメラモジュール収容部内に、前記同軸コネクタの導電性外周シェルの一部を突設し、この突設部に係止段部を形成し、この係止段部と前記カメラモジュール収容部の蒸着メッキの間にシールドプレートを介在して接続し、
前記シールドプレートは、中央に孔部を有する平面部とこの平面部の外周の周縁部とを有する円環状となし、前記平面部の内周部の複数個所に前記外周シェルの係止段部に圧接する外周シェル圧接片を形成し、前記周縁部の複数個所に前記カメラモジュール収容部の蒸着メッキに圧接する蒸着メッキ圧接片を形成したことを特徴とするカメラ用コネクタモジュール。
【請求項２】
前記外周シェル圧接片における係止段部との接触部と、前記蒸着メッキ圧接片における蒸着メッキとの接触部を除き、前記シールドプレートを前記外周シェルと蒸着メッキとの間に隙間をもって嵌着したことを特徴とする請求項１記載のカメラ用コネクタモジュール。
【請求項３】
前記蒸着メッキは、Ｃｕ＋Ｎｉからなることを特徴とする請求項１又は２記載のカメラ用コネクタモジュール。

【手続補正２】
【補正対象書類名】明細書
【補正対象項目名】００１０
【補正方法】変更
【補正の内容】
【００１０】
請求項１記載の発明は、
カメラ収容樹脂ケースに組み込んだ同軸コネクタを介在して、前記カメラ収容樹脂ケースに収容したカメラモジュールと前記同軸コネクタの同軸ケーブルを接続するためのカメラ用コネクタモジュールにおいて、
前記カメラ収容樹脂ケースのカメラモジュール収容部に、前記カメラモジュールを電磁波から遮蔽するための蒸着メッキを形成し、
前記カメラモジュール収容部内に、前記同軸コネクタの導電性外周シェルの一部を突設し、この突設部に係止段部を形成し、この係止段部と前記カメラモジュール収容部の蒸着メッキの間にシールドプレートを介在して接続し、
前記シールドプレートは、中央に孔部を有する平面部とこの平面部の外周の周縁部とを有する円環状となし、前記平面部の内周部の複数個所に前記外周シェルの係止段部に圧接する外周シェル圧接片を形成し、前記周縁部の複数個所に前記カメラモジュール収容部の蒸着メッキに圧接する蒸着メッキ圧接片を形成したので、カメラ収容樹脂ケースの内部のカメラモジュール収容部が前記カメラモジュールを確実に電磁波から遮蔽するシールドケースとして機能することができる。また、カメラ収容樹脂ケースの寸法精度と小型軽量化を図ることができる。シールドプレートを嵌合するだけでカメラモジュール収容部と前記同軸コネクタの導電性外周シェルとを簡単な工程で確実に電気的に接続できる。外周シェル圧接片を外周シェルに、蒸着メッキ圧接片を蒸着メッキに複数個所で確実に接続することができる。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項２記載の発明は、
記外周シェル圧接片における係止段部との接触部と、前記蒸着メッキ圧接片における蒸着メッキとの接触部を除き、前記シールドプレートを前記外周シェルと蒸着メッキとの間に隙間をもって嵌着したので、シールドプレートの外周シェル圧接片と蒸着メッキ圧接片のみが接続の作用を果たすことにより、圧接片各部の接触がより確実に接続される。
【手続補正６】
【補正対象書類名】明細書
【補正対象項目名】００１４
【補正方法】変更
【補正の内容】
【００１４】
請求項３記載の発明は、
前記蒸着メッキは、Ｃｕ＋Ｎｉからなるので、電磁波から遮蔽する機能がより確実になる。